(57)【要約】  本発明は、新しいタイプの歯科用注射器装置に関し、注射器ボディー９、作動リング７、作動リング７によって注射器ボディー９に対してスライド運動するシャフト１０、及びシャフト１０の端部に取り付けられた銛１１を備えた注射器５を含み、注射器ボディー９に対してシース（ｓｈｅａｔｈ）２０を回転させて設置または除去するように注射器ボディーの外面に雄ネジ部４０が形成されている。【選択図】図１
2018505745.tif 000002
【特許請求の範囲】
【請求項１】
注射器ボディー、作動リング、作動リングによって注射器ボディーに対してスライド運動するシャフト、及びシャフトの端部に取り付けられた銛を備えた注射器を含むカートリッジ注射器装置であって、
前記注射器ボディーに対してシース（ｓｈｅａｔｈ）を回転させて設置または除去するように注射器ボディーの外面に雄ネジ部が形成されたことを特徴とするカートリッジ注射器装置。
【請求項２】
前記シース（ｓｈｅａｔｈ）が注射器ボディーの雄ネジ部にネジ結合する雌ネジ部と前方開口部を有し、前記注射器ボディーが前壁を有し、前記前壁は前方開口部を有し、
前記シース（ｓｈｅａｔｈ）の前方開口部が開放位置に回転すれば、シース（ｓｈｅａｔｈ）の前方開口部と注射器ボディーの前方開口部が一致して針アセンブリーを注射器ボディーに入れたり取り出したりすることができ、シース（ｓｈｅａｔｈ）の前方開口部が閉鎖位置に回転すれば、注射器ボディーの前方開口部と一致せず、針アセンブリーを注射器ボディー内に留めておく程度の大きさと形状を前記シース（ｓｈｅａｔｈ）の前方開口部と注射器ボディーの前方開口部が有することを特徴とする、請求項１に記載のートリッジ注射器装置。
【請求項３】
前記雌ネジ部がネジ山であり、雄ネジ部が外部溝であり、前記ネジ山が外部溝にネジ結合してシース（ｓｈｅａｔｈ）を注射器ボディーに回転可能に設け、前記シース（ｓｈｅａｔｈ）が前方開口部に向かって延びる左側部と右側部を有し、前記注射器は注射器ボディーから前方開口部に向かって延びる左側前壁と右側前壁を有し、左側前壁が間隙だけ右側前壁から離隔し、閉鎖位置においてシース（ｓｈｅａｔｈ）の前壁が間隙を閉じることを特徴とする、請求項２に記載のカートリッジ注射器装置。
【請求項４】
針チップとカートリッジ針を有する針チューブと、チューブ補強部とを備えた針アセンブリーをさらに含み、前記注射器ボディーの前方開口部が複数の様々な幅を有し、シース（ｓｈｅａｔｈ）の前方開口部が回転して注射器ボディーの前方開口部と一致すれば、注射器ボディーの前方開口部を開放し、シース（ｓｈｅａｔｈ）の前方開口部が回転して注射器ボディーの前方開口部と一致しなければ、注射器ボディーの前方開口部を閉じ、注射器ボディーに円錐部の内部があり、注射器ボディーの前方開口部の幅はチップ（ｔｉｐ）方向のシース（ｓｈｅａｔｈ）の前方開口部の幅と一致する時には両開口部の幅を通してチューブ補強部を通過させるが、両開口部の幅が一致しないに時にはチューブ補強部を拘束する程度であることを特徴とする、請求項３に記載のカートリッジ注射器装置。
【請求項５】
前記チューブ補強部が円筒部、フランジ及び円錐部を含むことを特徴とする、請求項４に記載のカートリッジ注射器装置。
【請求項６】
前記円筒部が複数の放射状フィンによってフランジに支持されることを特徴とする、請求項５に記載のカートリッジ注射器装置。
【請求項７】
前記フィンが針アセンブリーの保護キャップに摩擦結合されることを特徴とする、請求項６に記載のカートリッジ注射器装置。
【請求項８】
前記保護キャップがカートリッジ方向の安全キャップのリムに摩擦結合されることを特徴とする、請求項７に記載のカートリッジ注射器装置。
【請求項９】
針アセンブリーが円錐部をさらに含み、注射器ボディーが円錐部をさらに含み、組み立て状態で針アセンブリーの円錐部が注射器ボディーの円錐部に接することを特徴とする、請求項８に記載のカートリッジ注射器装置。
【請求項１０】
組み立て状態でシース（ｓｈｅａｔｈ）を回せば、
Ｉ．針アセンブリーが注射器ボディーから分離され、
ＩＩ．シース（ｓｈｅａｔｈ）の前方開口部の幅が注射器ボディーの前方開口部の幅と一致して両前方開口部がいずれも開放され、
ＩＩＩ．この時、チューブ補強部が注射器ボディーの前方開口部の幅とシース（ｓｈｅａｔｈ）の前方開口部の幅を通過して針アセンブリーを廃棄することを特徴とする、請求項９に記載のカートリッジ注射器装置。
【請求項１１】
前記シース（ｓｈｅａｔｈ）の円周部にフィンガーリブが形成されることを特徴とする、請求項１０に記載のカートリッジ注射器装置。
【請求項１２】
前記シース（ｓｈｅａｔｈ）のフィンガーリブの反対側に他のフィンガーリブが形成されることを特徴とする、請求項１１に記載のカートリッジ注射器装置。
【請求項１３】
針チップとカートリッジ針を備えた針チューブと、チューブ補強部とを含むことを特徴とする針アセンブリー。
【請求項１４】
チューブ補強部が円筒部、フランジ及び円錐部を有することを特徴とする、請求項１３に記載の針アセンブリー。
【請求項１５】
円筒部が複数の放射状フィンによってフランジに支持されることを特徴とする、請求項１４に記載の針アセンブリー。
【請求項１６】
前記フィンが針アセンブリーの保護キャップに摩擦結合され、前記保護キャップがカートリッジ方向の安全キャップのリムに摩擦結合されることを特徴とする、請求項１５に記載の針アセンブリー。
【請求項１７】
雌ネジ部を有するシース（ｓｈｅａｔｈ）、前記雌ネジ部にネジ結合する雄ネジ部を有する注射器ボディー、及びモールドされた補強部を有する針アセンブリーを含むカートリッジ注射器装置の使用方法であって、
注射器ボディーのチップ（ｔｉｐ）方向にシース（ｓｈｅａｔｈ）を同軸上に配置するステップ、
シース（ｓｈｅａｔｈ）を注射器ボディーに対して押して、シース（ｓｈｅａｔｈ）を広げて雌ネジ部を雄ネジ部に噛み合わせてシース（ｓｈｅａｔｈ）を注射器ボディーに固定するステップ、
シース（ｓｈｅａｔｈ）の開口部を注射器ボディーの開口部に整列するステップ、
針アセンブリーの補強部を前記整列した開口部を通して挿入するステップ、
整列状態のシース（ｓｈｅａｔｈ）の開口部を注射器ボディーの開口部とずれるように回転させて、針アセンブリーを注射器ボディー内に維持するステップ、
針アセンブリーの円錐部を注射器ボディーの円錐部に接するようにするステップ、
カートリッジ開口部を通して注射器ボディーの隔室に薬物カートリッジの隔膜を挿入し、カートリッジ針で隔膜を刺すステップ、
薬物カートリッジの残りを注射器ボディー内に配置するステップ、
作動リングを針方向に動かし、シャフトの端部に取り付けられた銛を薬物カートリッジ方向に動かし、シャフトの銛で薬物カートリッジのスライドシールを刺してプランジャーを形成するステップ、
プランジャーをチップ（ｔｉｐ）方向に動かして針に薬物を満たすステップ、
針でターゲットを刺すステップ、及び
プランジャーを後退させて針チップが血管にあるかをテストした後、薬物カートリッジからターゲットに薬物を注射するステップを含むことを特徴とするカートリッジ注射器装置の使用方法。
【請求項１８】
薬物カートリッジから銛を後退させるステップ、シース（ｓｈｅａｔｈ）の開口部を注射器ボディーの開口部と整列させるステップ、及び注射器ボディーのバックホール（ｂａｃｋ  ｈｏｌｅ）から薬物カートリッジを押して、注射器ボディーの前方開口部を通して薬物カートリッジを排出するステップをさらに含むことを特徴とする、請求項１７に記載のカートリッジ注射器装置の使用方法。
【請求項１９】
新しい薬物カートリッジの隔膜を開口部を通して注射器ボディーの隔室内に挿入するステップ、前記隔膜をカートリッジ針に刺すステップ、薬物カートリッジの残りの部分を注射器ボディー内に配置するステップ、作動リングを針方向に動かしてシャフト端部に取り付けられた銛を薬物カートリッジ方向に動かして、薬物カートリッジのスライドシールを銛で刺して再びプランジャーを形成するステップ、プランジャーをチップ（ｔｉｐ）方向に動かして針に薬物を満たすステップ、針でターゲットを刺すステップ、薬物カートリッジからターゲットに薬物を注射するステップ、これ以上薬物を投薬する必要がない時まで請求項１８と本請求項のステップを繰り返し行うステップ、シース（ｓｈｅａｔｈ）の開口部を注射器ボディーの開口部と整列するステップ、及び整列した開口部を通して針アセンブリーを廃棄箱に排出するステップをさらに含むことを特徴とする、請求項１８に記載のカートリッジ注射器装置の使用方法。
【請求項２０】
注射器ボディー、作動リング、作動リングによって注射器ボディーに対してスライド運動するシャフト、及びシャフトの端部に取り付けられた銛を備えた注射器を含むカートリッジ注射器装置であって、
前記注射器ボディーに対してシース（ｓｈｅａｔｈ）を回転させて設置または除去するように注射器ボディーの外面に雄ネジ部の溝が形成され、
前記シース（ｓｈｅａｔｈ）は注射器ボディーに結合されるための雌ネジ部を有し、
注射器ボディーが前壁を有し、前壁に前方開口部があり、前記シース（ｓｈｅａｔｈ）に前方開口部があり、
シース（ｓｈｅａｔｈ）を注射器ボディーの外部に回転して設けるように前記溝と雌ネジ部が形成され、
溝と雌ネジ部を回して開放位置にすれば、注射器ボディーの前方開口部とシース（ｓｈｅａｔｈ）の前方開口部が整列し、溝と雌ネジ部を回して閉鎖位置にすれば、シース（ｓｈｅａｔｈ）の前方開口部が注射器ボディーの前方開口部を塞ぎ、
針チップとカートリッジ針を備えた針チューブ、及び円筒部とフランジと円錐部を備えたチューブ補強部を含む針アセンブリーをさらに含み、
前記円錐部が注射器ボディーの円錐部の内部に接することを特徴とするカートリッジ注射器装置。
【発明の詳細な説明】
【技術分野】
【０００１】
本発明は新しいタイプの歯科用注射器装置に関する。
【背景技術】
【０００２】
従来の歯科用注射器は、注射器で刺した時に血管に触れたかを確認するために注射器の親指リングに親指をかけ、プランジャーを後方に引っ張って、麻酔薬瓶を観察して血液が注射器内に引き込まれて来たかを判断しなければならなかった。血液が観察されれば、麻酔剤を血液に注射することを避けるために新しく注射するポイントを探さなければならず、これは下記の二つの理由のためである。
１．麻酔剤には心拍数に悪影響を与えるエピネフリンが入っており、
２．麻酔剤が血管に流れれば所望の部位を麻酔することができない。
【０００３】
よって、注射器全体を廃棄する一般的な医療用注射器とは異なり、歯科用注射器は金属フレームを再使用し、使い捨てカートリッジ内に薬物が入っているのが一般的である。この種類の注射器をカートリッジ注射器という。
【０００４】
本発明は、本出願人のＵＳ６７６４４７１Ｂ２を改善したものである。
【発明の概要】
【発明が解決しようとする課題】
【０００５】
本発明は、注射器の針や端部のネジにネジ結合されるかまたは嵌められるシース（ｓｈｅａｔｈ）を用いて注射をする間に針を安定させる。
【課題を解決するための手段】
【０００６】
このようなシース（ｓｈｅａｔｈ）はプラスチックや金属からなり、注射器にクリップ結合される。このようなシース（ｓｈｅａｔｈ）を用いれば、シース（ｓｈｅａｔｈ）の停止位置に針アセンブリーを挿入することができる。
【０００７】
本明細書において、チップ（ｔｉｐ）方向は針チップ（ｔｉｐ）方向であり、リング方向はその逆である親指リングや作動リング方向をいう。
【０００８】
針を挿入した後、シース（ｓｈｅａｔｈ）を回して針アセンブリーをチップ（ｔｉｐ）方向に押せば、針アセンブリーの円錐部が注射器ボディーのチップ（ｔｉｐ）方向端部の円錐部内部に位置するようになって、シース（ｓｈｅａｔｈ）が針を安定させて何度も注射をする間に麻酔剤カートリッジを安全に交換することができる。
【０００９】
シース（ｓｈｅａｔｈ）をさらに回せば、柔軟なシース（ｓｈｅａｔｈ）が注射器のネジ山をジャンプして圧力が緩くなり、針を注射器から廃棄箱に落下させることができる。
【００１０】
一方、シース（ｓｈｅａｔｈ）を反対に回しても圧力が緩くなって針を落下させることができる。
【図面の簡単な説明】
【００１１】
【図１】本発明の注射器装置の正面図である。
【図２】本発明の注射器の一部分の正面図である。
【図３】図２の側面図である。
【図４】シース（ｓｈｅａｔｈ）の正面図である。
【図５】シース（ｓｈｅａｔｈ）がない注射器のチップ（ｔｉｐ）方向端部の正面図である。
【図６】針アセンブリーを嵌める位置にシース（ｓｈｅａｔｈ）がある注射器の前方斜視図である。
【図７】シース（ｓｈｅａｔｈ）をリング方向に見た斜視図である。
【図８】チップ（ｔｉｐ）方向に見たシース（ｓｈｅａｔｈ）の底面図である。
【図９】シース（ｓｈｅａｔｈ）の前方斜視図である。
【図１０】シース（ｓｈｅａｔｈ）の内壁面と注射器の円錐部の外壁面との間の間隙１５５を示す図である。
【図１１】注射器にシース（ｓｈｅａｔｈ）が位置した状態の側面図である。
【図１２】注射器の側面図である。
【図１３】注射器にシース（ｓｈｅａｔｈ）が位置した状態の正面斜視図である。
【図１４】注射器ボディーの正面図である。
【図１５】図１４の平面図である。
【図１６】シース（ｓｈｅａｔｈ）の平面図である。
【図１７】図１６の正面図である。
【図１８】注射器ボディーの平面図である。
【図１９】シャフトが設けられた注射器ボディーの正面図である。
【図２０】針アセンブリーの斜視図である。
【図２１】薬物カートリッジの斜視図である。
【図２２】シース（ｓｈｅａｔｈ）が針アセンブリーを固定している状態の注射器の斜視図である。
【発明を実施するための形態】
【００１２】
図１の歯科用注射器はカートリッジ注射器であって、アンプルや薬瓶でないカートリッジ形態で薬物を供給する場合、より容易で簡単に且つ安全に投薬をすることができる。従来は、使用者がアンプルや薬瓶から医療等級の使い捨てプラスチック注射器に薬物を移した後、（２０や２２ゲージの）大口径針を用いてヒトに薬物を注射するが、本発明は、カートリッジ内に薬物を入れた状態で小口径針を用いて薬を注射することができる。
【００１３】
組み立てられた注射器装置３の注射器５は、親指で操作する作動リング７、及び注射器ボディー９のフィンガーグリップ８を含む。作動リング７を押せば、シャフト１０が注射器ボディー９において動き、シャフト１０の端部に銛（ｈａｒｐｏｏｎ）１１が取り付けられている。
【００１４】
注射器ボディー９内にある薬物カートリッジ１２のスライドシール（ｓｌｉｄａｂｌｅ  ｓｅａｌ）１３を銛１１が突き抜いて掛かってプランジャー１３、１１、１０、７を形成し、この状態で作動リング７の操作によってシャフト１０が針方向やリング方向に動くことができる。作動リング７を親指で操作してカートリッジの量を減少または増加させることができる。
【００１５】
フィンガーグリップ８は凹部１７及び１対のフランジ１８、１９を有する。銛１１がカートリッジに挿入される前に、針アセンブリー１４の円錐部１５が注射器ボディー９の円錐部１６内に位置する。針アセンブリーは交替型シース（ｓｈｅａｔｈ）２０によって注射器ボディー９内に維持される。注射器ボディー９の円筒部表面に螺旋状の雄ネジ部４０が形成され、シース（ｓｈｅａｔｈ）２０にネジ区間５１〜５７を有する雌ネジ５０が形成される。シース（ｓｈｅａｔｈ）２０をチップ（ｔｉｐ）側から見た時、反時計方向に回せば緩み、時計方向に回せばシース（ｓｈｅａｔｈ）２０の端部２１が針アセンブリー１４の円筒部２７のフランジ２２を押して針アセンブリーの円錐部１５が注射器ボディー９の円錐部１６に堅固に固定される。シース（ｓｈｅａｔｈ）２０は、滅菌処理ができるように、融点が１３７℃より高いプラスチックからなる。シース（ｓｈｅａｔｈ）をなすプラスチックは、注射器に対して挿入と分離が可能な程度の弾性を有し、製作し易く、比較的に安価なナイロンが好ましい。シース（ｓｈｅａｔｈ）２０は何度も使った後に廃棄し新しいものに交替することができる。
【００１６】
針３１と針チップ３４に保護キャップ３８を被せた状態で供給して使用者を保護する。注射器ボディー９の円周面に螺旋溝３９が形成されている。図１、４、５〜６、１０によれば、シース（ｓｈｅａｔｈ）２０の前壁４２は左側部４２Ｌと右側部４２Ｒに分けられ、その間の幅が図１０の４３〜４４と図９の４５〜４６のように変わる。図４はシース（ｓｈｅａｔｈ）２０の雌ネジ５０と区間５１〜５７を、図２〜３、５は溝３９を各々示す。
【００１７】
図５は注射器の前端部の部分を示し、注射器の前壁１０２Ｌ、１０２Ｒが間隙６４を置いて分離しており、針アセンブリー１４を挿入することができる。図３によれば、雄ネジ部４０に溝３９があり、溝区間９１〜９７がランド（ｌａｎｄ）１１１〜１１９によって分離している。
【００１８】
図４のシース（ｓｈｅａｔｈ）２０は、プラスチックや金属からなり、注射器にクリップ結合され、壁厚さは１．２ｍｍである。本実施形態のシース（ｓｈｅａｔｈ）は、ナイロンからなっており、弾性を有しており若干広まったり狭まったりすることができる。シース（ｓｈｅａｔｈ）は滅菌処理されなければならず、針アセンブリー１４を正面から注射器ボディー９に挿入することができるように、シース（ｓｈｅａｔｈ）の前壁４２は図１０の４３〜４４や図９の４５〜４６のような間隙を有する。シース（ｓｈｅａｔｈ）の雌ネジ５０は前壁の左側部４２Ｌと右側部４２Ｒの内側に螺旋状に形成され、注射器ボディー９の雄ネジ部４０の溝３９に噛み合わされる。
【００１９】
図５によれば、注射器ボディー９の溝区間９１〜９７の間に膨らんだランド１１１、１１２、１１４、１１５、１１７、１１８、１１９がある。注射器ボディー９の円錐部１６にシース（ｓｈｅａｔｈ）２０を置き、雌ネジ５０が溝３９にかかった後に続けてシース（ｓｈｅａｔｈ）を締め付け、図１、６のような位置に来る時まで続けて回す。一方、シース（ｓｈｅａｔｈ）２０を円錐部１６に突き当てて、シース（ｓｈｅａｔｈ）のチップ（ｔｉｐ）１０７を下方に押して結合することもできる。この時には、ネジ区間５１がランド１１７を乗り越えて溝９４に結合され、ネジ区間５２がランド１１５を乗り越えて溝９２に結合される。チップ（ｔｉｐ）１０７をさらに押せば、ネジ区間５１がランド１１４を乗り越えて溝９１に結合され、ネジ区間５２がランド１１５を乗り越えて溝９２に結合され、ネジ区間５４がランド１１７を乗り越えて溝９４に結合され、ネジ区間５５がランド１１５を乗り越えて溝９２に結合される。そして、シース（ｓｈｅａｔｈ）２０が図１、６の位置にあれば、針アセンブリー１４の円錐部１５をシース（ｓｈｅａｔｈ）２０の間隙４５に挿入して注射器の円錐部１６の内部１４０に入れる。
【００２０】
図６は、針アセンブリーが注射器内に位置しているものの、まだ固定されていない状態であって、カートリッジ排出スロット２７８を見ることができる。
【００２１】
図１のカートリッジ１２を取り出そうとすれば、作動リング７を引っ張った後、注射器の前部をごみ箱上に向かうようにした状態で、指をカートリッジ排出スロット２７８を通してカートリッジ１２に突き当て、注射器ボディー９の長い開口部の外に押し出せば良い（図１参照）。
【００２２】
針アセンブリー１４を除去する時には、シース（ｓｈｅａｔｈ）２０を反対に回して針アセンブリー１４が注射器廃棄箱内に落ちるようにする。
【００２３】
図７に示すように、歯科医がシース（ｓｈｅａｔｈ）２０を握って回すのに補助するようにシース（ｓｈｅａｔｈ）の外部にフィンガーリブ（ｆｉｎｇｅｒ  ｒｉｂｓ）１４１、１４２を設ける。チップ（ｔｉｐ）方向端部２１が針アセンブリー１４の円筒部２７のフランジ２２を押す（図１参照）。
【００２４】
図８に示すように、シース（ｓｈｅａｔｈ）２０の内部ストッパー１５１、１５２は、注射器５の表面及び溝と協働して、注射器５に対して色々な角度でシース（ｓｈｅａｔｈ）２０の回転を停止させる。ストッパー１５１の正面１５１Ｆ、内面１５３及び上面１５４は傾斜している（図９参照）。
【００２５】
図１０に示すように、シース（ｓｈｅａｔｈ）２０の内壁面１５７と注射器５の円錐部１６の外面との間に間隙１５５がある。図１０の位置において、シース（ｓｈｅａｔｈ）２０が注射器５に対して回転してシース（ｓｈｅａｔｈ）のネジ最下端が注射器５のネジ最上端に噛み合わされる時、この間隙１５５はストッパー１５１の内面１５３が注射器５の円錐部１６の外面と会ってやんわりと停止させる程度である。シース（ｓｈｅａｔｈ）２０をさらに回せば、弾性によってシース（ｓｈｅａｔｈ）が広げられてリング方向側にさらに回転させることがでｋる。
【００２６】
シース（ｓｈｅａｔｈ）の内壁面１５７が円錐部１６の外面に近付くほど回転が難しくなり、その結果、ストッパー１５１が図１２のエッジ２０１に乗ってギャップ２００内に入る（図１１参照）。最上端ネジ区間５８の先端地点２１４が図１２のネジ溝９５において動く（図１３参照）、ネジ溝の狭小端部２１５で抵抗を受け、シース（ｓｈｅａｔｈ）をさらに回せば、ストッパー１５２がギャップ２００内に入る。しかし、ストッパー１５１がエッジ１６０にかかって止まる前にかろうじて１ｍｍ程度の遊びだけあるようになる。この状態で、シース（ｓｈｅａｔｈ）２０の前壁の間の間隙４３が注射器の前壁の間の間隙６４と一致して（図１、６）、針アセンブリー１４を円錐部１６内に入れることができる。
【００２７】
円錐部１５を入れた後、シース（ｓｈｅａｔｈ）２０を１８０°回転させれば、雌ネジ５０と溝３９が噛み合わされて針アセンブリー１４を図１１の位置まで針側に押し出して、針アセンブリー１４の円錐部１５が注射器の円錐部１６の内部１４０に位置するようになる。
【００２８】
図２２は、シース（ｓｈｅａｔｈ）２０の端部１０７が針アセンブリー１４のフランジ２２に接して、針アセンブリーの円錐部１５が注射器の円錐部１６内に位置した状態を示す。シース（ｓｈｅａｔｈ）２０により、針アセンブリー１４が安定して、薬物カートリッジ１２を嵌めたり交替したりし易い。
【００２９】
シース（ｓｈｅａｔｈ）２０をさらに締め付ければ、柔軟なシース（ｓｈｅａｔｈ）のネジ山が注射器の溝をジャンプして、シース（ｓｈｅａｔｈ）２０がリング方向に動いて締付け力が緩くなって、針アセンブリー１４を注射器５外の廃棄箱に捨てることができる。
【００３０】
一方、シース（ｓｈｅａｔｈ）２０を反対に回しても締付け力が緩くなって針を注射器の外に捨てることができる。このような基準だけ満たせば、シース（ｓｈｅａｔｈ）をステンレス鋼で作ることもできる。ステンレス鋼は何度も使った後にはクロムメッキが剥けるため、エッジが鋭くなってはいけない。
図１３によれば、シース（ｓｈｅａｔｈ）が注射器において安定して前後進回転をするように複数のネジ溝を有する。注射器の円錐部にもネジ溝があるが、円錐部のネジ溝は安定性に役に立たない。このような溝はカートリッジの設置や排出を阻害してはいけないため、注射器のリボン部位の下に位置してはいけない。
【００３１】
図１４の注射器ボディー９の円錐部表面にネジが形成されており、注射器ボディー９の端部２２５の外径は５．２ｍｍである。注射器ボディーの下端部に形成されたネジ２２７は図１のフィンガーグリップ８にネジ結合される。
【００３２】
長さ２４．８ｍｍのスロット２７８があるため、使用者が薬物カートリッジ１２を下記のように交替することができる：
作動リング７を引っ張ってシャフト１０を下方に引っ張って銛１１を後退させ（図１、１９参照）；
注射器ボディー９の後側からスロット２７８に指を入れて薬物カートリッジ１２を押し出し（図１、１４、１９参照）；
同じ手の親指を薬物カートリッジ１２の正面に突き当てて薬物カートリッジを握り；
薬物カートリッジ１２をカートリッジ針２３１の反対側に押して開口部２８０から取り出してカートリッジ針２３１から完全に分離する。
【００３３】
図１９によれば、注射器ボディー９から延びるカラー（ｃｏｌｌａｒ）２２８の前方開口部の幅２２６はカラー（ｃｏｌｌａｒ）の内径と同じであり、軸線方向の長さ２２６Ｂを有する（図１２参照）。
【００３４】
図２０の針アセンブリー１４は、組み立てられた状態で、針３１が使用者を刺さないように保護キャップ３８で針を覆う。
【００３５】
図２０Ａは針アセンブリー１４の分離斜視図であり、針３１は針チューブ１４Ａの一部分である。針チューブ１４Ａの他の針であるカートリッジ針２３１は針チューブ１４Ａを通して針３１と通じる。カートリッジ針２３１は、薬物カートリッジ１２の上端キャップ３０３の隔膜３０１を刺して薬物カートリッジの液体が針チューブ１４Ａに流れるようにする（図２１参照）。
【００３６】
チューブ補強部１４Ｂのシリンダー２４０が針チューブ１４Ａの下端部を補強し、第２シリンダー２４４の端部２４８は円錘形であり、そこに針３１が取り付けられている。図２２のように、シース（ｓｈｅａｔｈ）２０を押し出すためのフランジ２２が提供される。第２シリンダー２４４とフランジ２２は６ケ程度の複数のフィン２５１で補強され、これらのフィン２５１は保護キャップ３８にぴったりとフィットするようになる。
【００３７】
安全キャップ２３８が保護位置にある時、円錐部１５の最も広い部分が安全キャップ２３８にぴったりとフィットし、安全キャップのリム２６０がフランジ２２に接する。
【００３８】
針方向から見た時、６個のフィン２５１がアスタリスク模様を形成する。
【００３９】
針アセンブリー１４を注射器に設けるために、シース（ｓｈｅａｔｈ）２０を注射器ボディー９に嵌め（図６参照）、注射器の前壁１０２Ｌ、１０２Ｒをシース（ｓｈｅａｔｈ）の前壁４２Ｌ、４２Ｒと一致させて針アセンブリー１４の針２３１がシース（ｓｈｅａｔｈ）と注射器の左右側前壁の間の間隙を通過するようにする。安全キャップ２３８を剥がせば、カートリッジ針２３１が露出される。針アセンブリー１４を注射器ボディーとシース（ｓｈｅａｔｈ）の前方開口部内に入れ、針アセンブリーの円錐部１５を注射器ボディー９の円錐部１６の中に嵌める（図１、６参照）。
【００４０】
次に、作動リング７方向から見てシース（ｓｈｅａｔｈ）２０を時計方向に回せば、図２２のような配置でシース（ｓｈｅａｔｈ）２０の端部１０７がフランジ２２にネジ結合され、まだキャップ３８が被せられている針アセンブリー１４を針側に押して、円錐部１５が円錐部１６内にしっかりと接し、針アセンブリー１４が注射器ボディー９内に堅固に定位置に位置する。さてシース（ｓｈｅａｔｈ）２０の前方間隙が注射器ボディー９の前方間隙の正反対側に整列すれば、前方開口部２８０が閉じられる。すなわち、開放位置から１８０度回転した位置にあることになる。
【００４１】
次に、作動リング７を下方に引っ張って薬物カートリッジ１２用の隔室２７０に銛１１が無いようにして、開口部２８０を通して薬物カートリッジ１２を挿入する空間を確保する（図１、１９参照）。次に、隔室２７０の前方開口部２８０を通して薬物カートリッジ１２を挿入し、図１のように配置する（図１４、１９参照）。次に、作動リング７を針側に押して、シャフト１０と銛１１が薬物カートリッジのプランジャー１３を打撃するようにして、薬物カートリッジ１２を針アセンブリー１４側に押して（図２１参照）、図２０の針２３１が薬物カートリッジ１２の隔膜３０１を刺して、薬物カートリッジ１２内部の薬物が中空の針３１を通して針の中空ポイント３１１に流れるようにする。
【００４２】
薬物カートリッジ１２は患者のために今後交替できる。作動リング７を後ろに大きく引っ張れば、銛１１がプランジャー１３を引っ張ってカートリッジが針２３１から分離される。カートリッジが針２３１から完全に分離されなければ、開口部２８０と開口部２７８に親指と人さし指を入れてカートリッジを握って針２３１から取り出した後、注射器５を正面が下に向かうようにして薬物カートリッジ２１を隔室２７０の開口部２８０の外に落下させる。次に、前述したように、新しい薬物カートリッジ１２を嵌めることができる。
【００４３】
患者が麻酔中であれば、最終カートリッジを除去し、シース（ｓｈｅａｔｈ）２０を回して、シース（ｓｈｅａｔｈ）を針アセンブリー１４のフランジ２２から分離するか、またはネジ山が次の下位ネジ溝区間にジャンプするようにする。いずれにしても、フランジ２２を針側に固定し円錐部１５を円錐部１６に固定した圧力が緩められる。次に、注射器を回して、正面が下に向かうようにして、針アセンブリー１４を注射器５から廃棄箱に落下させる。
【００４４】
以上、シース（ｓｈｅａｔｈ）２０が針アセンブリー４を注射器５の端部側に押すことについて説明したが、１２０度回転して針方向に１．８〜２．０ｍｍ程度移動するようにネジ溝の傾きを作ることが好ましい。
【図１】
2018505745.tif 000003
【図２】
2018505745.tif 000004
【図３】
2018505745.tif 000005
【図４】
2018505745.tif 000006
【図５】
2018505745.tif 000007
【図６】
2018505745.tif 000008
【図７】
2018505745.tif 000009
【図８】
2018505745.tif 000010
【図９】
2018505745.tif 000011
【図１０】
2018505745.tif 000012
【図１１】
2018505745.tif 000013
【図１２】
2018505745.tif 000014
【図１３】
2018505745.tif 000015
【図１４】
2018505745.tif 000016
【図１５】
2018505745.tif 000017
【図１６】
2018505745.tif 000018
【図１７】
2018505745.tif 000019
【図１８】
2018505745.tif 000020
【図１９】
2018505745.tif 000021
【図２０】
2018505745.tif 000022
【図２０Ａ】
2018505745.tif 000023
【図２１】
2018505745.tif 000024
【図２２】
2018505745.tif 000025
【国際調査報告】
2018505745.tif 000026